(57)【要約】電子機器が上下に配置された複数のメイン配線基板（２，３，４）を有し、当該メイン配線基板のうち第１の配線基板は例えばラジオの電子構成部材を支持し、第２の配線基板はマルチメディア機器の電子構成部材を支持し、第３の配線基板は車両ナビゲーションの電子構成部材を支持する。電子機器の前面には、メイン配線基板（２，３，４）に対して横方向に配向された接続配線基板（９）が設けられており、この接続配線基板は差し込み接続部材（１１，１３，１５）を有し、この差し込み接続部材は相応する差し込み接続部材（１０，１２，１４）にメイン配線基板（２，３，４）の前面で係合する。
2004513521.tif 000002
【特許請求の範囲】
【請求項１】
上下に配置された、または並置された複数のメイン配線基板を有する電子機器であって、
当該メイン配線基板のうち第１の配線基板は例えばラジオの電子構成部材を支持し、第２の配線基板はマルチメディア機器の電子構成部材を支持し、第３の配線基板は車両ナビゲーションの電子構成部材を支持し、
当該メイン配線基板は、相互の電気接続のためにその前面にそれぞれ１つの差し込み接続部材を有する形式の電子機器において、
電子機器の前面には、メイン配線基板（２３，４）に対して横方向に配向された接続配線基板（９）が設けられており、
該接続配線基板は、メイン配線基板（２，３４）のそれぞれの差し込み接続部材（１０，１２，１３）に係合する別の差し込み接続部材（１１，１３，１５）を備えている、ことを特徴とする電子機器。
【請求項２】
接続配線基板（９）は、電子機器の操作素子（６，７）を有するフロントプレート（５）に設けられている、請求項１記載の電子機器。
【請求項３】
接続配線基板（９）は、フロントプレート（５）に向いた側に少なくとも１つの差し込み接続部（１６）を有し、
該差し込み接続部はフロントプレート（５）のサブ配線基板（８）と接続するための用いる、請求項１記載の電子機器。
【請求項４】
接続配線基板（９）は、その上に配置された電子構成部材によってサブ配線基板を構成する、請求項１から３までのいずれか１項記載の電子機器。
【請求項５】
接続配線基板（９）および／またはメイン配線基板（２，３）の差し込み接続部材（１１，１３，１５）は背仕込み方向に対して横方向に制限されてスライドするよう配置されている、請求項１から４までのいずれか１項記載の電子機器。
【発明の詳細な説明】
【０００１】
本発明は、上下に配置された、または並置された複数のメイン配線基板を有する電子機器に関するものであり、これらメイン配線基板のうちの第１の配線基板は例えばラジオの電子構成部材を、第２の配線基板はマルチメディア機器の電子構成部材を、第３の配線基板は車両ナビゲーションの電子構成部材を支持し、相互の電気接続のためにその前面にはそれぞれ１つの差し込み接続部材を有する。
【０００２】
前記形式の電子機器は例えば現在の自動車に設けられており、公知である。個々のメイン配線基板の間で通常は信号交換を行われなければならないから、これらを相互に電気的に接続する必要がある。このことはこれまで公知の機器では、前面に差し込み接続部材を設けることによって行われていた。これにより電気線路によってメイン配線基板間での所要の接続を行うことができる。しかしこの接続形成はかなりの作業コストと結び付いており、また個々の差し込み接続を忘れたりする危険性もあり、そのために機器が機能しないこともある。
【０００３】
本発明の課題は、冒頭に述べた形式の電子機器を改善し、メイン配線基板間の所要の電気接続を簡単かつ確実に行うことができるように構成することである。
【０００４】
この課題は本発明により、電子機器の前面にメイン配線基板に対して横方向に配向された接続配線基板を設け、この接続配線基板がそれぞれメイン配線基板の差し込み接続部材に係合する差し込み接続部材を有することにより解決される。
【０００５】
電子機器のこの構成によって、メイン配線基板の取付け後には接続配線基板の差し込み接続部材を前方からメイン配線基板に差し込み、メイン配線基板間で書能の接続を行えば良いだけである。このことにより、所要の電気接続を個別に順次、個々のメイン配線基板間の差し込み接続部を閉じることにより形成する必要がなくなる。その結果、本発明の電子機器は従来公知の機器よりも迅速に組み立てることができ、必然的にすべての電気接続の閉じていることが保証される。
【０００６】
本発明の改善形態により、接続配線基板が電子機器の操作素子を有するフロントプレートに設けられていれば、電気接続をフロントプレートの取付けと同時に終了することができる。
【０００７】
しかし択一的に、接続配線基板がその正面配線基板に向いた側に少なくとも１つの差し込み接続部を有し、この差し込み接続部をフロントプレートでサブ配線基板との接続に用いることもできる。
【０００８】
接続配線基板は、その電流分配の機能に加えて、配線ボードとしての機能を有することができる。これは、接続配線基板がこれに配置された電子部材によってサブ配線基板を形成することにより行われる。
【０００９】
製造公差があるので、メイン配線基板の差し込み接続個所が接続配線基板の差し込み接続個所とすべてが一列に並ばないことも考慮しなければならない。従って公差調整手段を設けると有利である。この手段は簡単に次のようにして達成される。すなわち接続配線基板および／またはメイン配線基板の差し込み接続部材を差し込み方向に対して横方向に制限してスライドするよう配置するのである。このような差し込み接続部材はボード・ツー・ボードコネクタの名の下で市販されている。
【００１０】
本発明では種々の実施形態が可能である。本発明の基本原理をさらに分かり易くするため、図面には概略的に示されており、以下に説明する。
【００１１】
図には電子機器のケーシング１が示されており、ここには上下に３つのメイン配線基板２，３，４が配置されている。最下のメイン配線基板２は例えばラジオ用の電子構成部材を支持し、中央のメイン配線基板３はマルチメディア機器用の電子構成部材を、上のメイン配線基板４は車両ナビゲーション用の電子構成部材を支持する。
【００１２】
ケーシング１は、その前方の端面に示されたフロントプレート５により閉鎖される。このフロントプレートは機器の個々の装置に対する操作素子６，７を有し、その内側にはサブ配線基板８を有する。ケーシング１の正面に向いた側にフロントプレートは接続配線基板９を有する。
【００１３】
本発明で重要なことは、個々のメイン配線基板２，３，４がその前面に、そして接続配線基板９がケーシング１に向いた側に差し込み接続部材１０〜１５を有することである。ここでフロントプレート５を押し込むと、フロントプレート５の差し込み接続部材１１，１３，１５がメイン配線基板２，３，４の差し込み接続部材１０，１２，１４に達し、これによりメイン配線基板２，３，４間の電気接続が接続配線基板９を介してなされる。
【００１４】
図示の実施例では、接続配線基板９が差し込む接続部１６を介してサブ配線基板８と接続されている。しかしサブ配線基板８を省略し、その上に取り付けるべき電子構成部材を接続配線基板９に配置することも可能である。
【図面の簡単な説明】
【図１】
本発明の実施例の概略図である。
【国際公開パンフレット】
2004513521.tif 000003
2004513521.tif 000004
2004513521.tif 000005
2004513521.tif 000006
2004513521.tif 000007
2004513521.tif 000008
2004513521.tif 000009
2004513521.tif 000010
2004513521.tif 000011
【国際調査報告】
2004513521.tif 000012
2004513521.tif 000013
2004513521.tif 000014
2004513521.tif 000015